(57)【要約】【課題】ヘッドセットの使用時の利便性を高める。【解決手段】ヘッドセット本体部２の回動部２４を回動取付部３９の周りで回転させて取付ガイド２４ａがヘッドセット本体部２において「Ｃ」側に位置する場合に、図３Ｅに向かって下向きの矢印の方向へリテーナ機構部２６を摺動させる。すると、リテーナ機構部２６の取付ガイド溝２６ａが取付ガイド２４ａから外れ、イヤーフック２５がヘッドセット本体部２から取り外される。そして、イヤーフック２５がヘッドセット本体部２から取り外された状態で回動部２４を回転させて、取付ガイド２４ａをヘッドセット本体部２において「Ｂ」側に位置させ、リテーナ機構部２６の取付ガイド溝２６ａに取付ガイド２４ａを嵌め込むと、イヤーフック２５がヘッドセット本体部２の「Ｂ」側に取り付けられる。このようにして、ヘッドセット本体部２を右耳および左耳の両耳介に懸架して用いることができる。【選択図】図３Ｅ
2014161192.tif 000002
【特許請求の範囲】
【請求項１】
ヘッドセット本体部と、前記ヘッドセットへ電力を供給する充電器とを含むヘッドセット送受話器であって、
前記ヘッドセット本体部は、
前記充電器と電気的に接続するヘッドセット側端子と、
前記ヘッドセット側端子が配置される面において前記ヘッドセット側端子を挟む位置関係にある平行な２本の凸状のガイド部と、
前記ガイド部の同一方向の一端にそれぞれ延設されるとともに、前記ヘッドセット側端子を挟む領域外へ向かう方向へ延伸して前記ガイド部それぞれとともに略Ｌ字状を形成する２つの凸部と、
前記ヘッドセット本体部の内部における前記ヘッドセット側端子および前記ガイド部の近傍に長手方向が前記ガイド部と平行となるように位置し、前記ヘッドセット側端子および前記ガイド部へ向く面側において、前記凸部側の一端から他端へ向かう途中で切り欠き部分を有する形状の磁性体部材と
を備え、
前記充電器は、
前記ヘッドセット側端子と接触により電気的に接続する充電器側端子と、
前記充電器側端子が配置される面において前記充電器側端子を挟む位置関係にあり、前記ガイド部それぞれが嵌合する平行な２本の凹状の溝部と、
前記溝部の同一方向の一端にそれぞれ延設されるとともに、前記充電器側端子を挟む領域外へ向かう方向へ延伸して前記溝部それぞれとともに略Ｌ字状を形成し、前記ガイド部が前記溝部それぞれと嵌合しつつ前記充電器側端子が前記ヘッドセット側端子と接触すると同時に、前記凸部それぞれと嵌合する２つの凹部と、
前記ガイド部が前記溝部それぞれに嵌合した状態から前記凸部が前記凹部それぞれに嵌合した状態に至るまで、前記磁性体部材を磁気吸引することで前記ヘッドセット本体部を前記充電器の定位置へ着装させるとともに、前記ヘッドセット本体部が前記充電器の定位置へ着装された状態かつ前記充電器側端子が前記ヘッドセット側端子と接触した状態を、前記磁性体部材を磁気吸引することで保持する常磁性部材と
を備える、
ことを特徴とするヘッドセット送受話器。
【請求項２】
前記ヘッドセット本体部は、
通話時の着信音声を出力するスピーカの固設部付近に回動可能に取り付けられる円環部材、ならびに、前記円環部材の周外方向から所定角度だけ前記スピーカ側へ向くように前記円環部材の所定部位に位置する取付ガイドを含む回動部と、
前記取付ガイドを摺動挿入させることにより前記取付ガイドと合一する取付ガイド溝を含む取付部材、ならびに、前記取付部材の一端から延伸して略Ｕ字形を形成するように前記取付部材に回転可能に取り付けられ、前記取付ガイドおよび前記取付ガイド溝の合一により前記スピーカの外周を取り巻くように前記回動部に取り付けられる耳介懸架部材を含む懸架部と
をさらに備える、
ことを特徴とする請求項１に記載のヘッドセット送受話器。
【請求項３】
前記回動部および前記懸架部を除く前記ヘッドセット本体部、ならびに、前記懸架部の横断面は、左右対称の形状であり、
前記ヘッドセット本体部は、前記円環回動部を回動させて、前記ヘッドセット本体部における前記円環部材の所定部位を第１の位置もしくは前記第１の位置と左右対称の位置である第２の位置に設定して前記取付ガイドおよび前記取付ガイド溝を合一させて前記回動部に前記耳介懸架部材が取り付けられる
ことを特徴とする請求項２に記載のヘッドセット送受話器。
【請求項４】
前記取付部材は、前記耳介懸架部材の前記略Ｕ字の一端の先端が嵌入される孔部を一端に有し、前記孔部の底面に、円周状に連続する複数の山部および複数の谷部が形成され、
前記耳介懸架部材は、前記略Ｕ字の一端の先端面に、円周状に連続する複数の山部および複数の谷部が形成され、前記略Ｕ字の一端が前記孔部に嵌入され、前記孔部の底面の複数の山部および複数の谷部、ならびに、前記耳介懸架部材の前記略Ｕ字の一端の先端面の複数の山部および複数の谷部がそれぞれ山部と谷部とが歯合した状態で前記取付部材に取り付けられる
ことを特徴とする請求項２または３に記載のヘッドセット送受話器。
【請求項５】
ヘッドセット本体部と、前記ヘッドセットへ電力を供給する充電器とを含むヘッドセット送受話器であって、
前記ヘッドセット本体部は、
前記充電器から供給された電力を蓄電する蓄電池と、
前記蓄電池が出力する電圧を監視し、前記電圧を閾値判定する監視部と、
前記監視部により前記蓄電池が出力する電圧が所定閾値以下であると判定とされた際に、前記ヘッドセット本体部が前記充電器に着装されている場合には、前記充電器から供給される電力を前記蓄電池に蓄電開始し、前記ヘッドセット本体部が前記充電器に着装されていない場合には、所定時間を計時後に前記ヘッドセット本体部の電源を切断する電源制御部と
を備える、
ことを特徴とするヘッドセット送受話器。
【請求項６】
前記ヘッドセット本体部は、
前記監視部により前記蓄電池が出力する電圧が所定閾値以下であると判定とされた際に、前記ヘッドセット送受話器が接続されるコンピュータへ電圧が所定閾値以下である旨を通知する通知部
をさらに備える、
ことを特徴とする請求項５に記載のヘッドセット送受話器。
【請求項７】
ヘッドセット本体部と、前記ヘッドセットへ電力を供給するとともに、前記ヘッドセットとの間で回線通話にかかる信号を送受信する充電器とを含むヘッドセット送受話器であって、
前記ヘッドセット本体部は、
前記回線通話が切断された、もしくは、前記充電器との間で前記回線通話にかかる信号の送受信が切断されたか否かを判定する判定部と、
前記判定部により前記回線通話が切断された、もしくは、前記充電器との間で前記回線通話にかかる信号の送受信が切断されたと判定された際に、所定時間を計時後に前記ヘッドセット本体部の電源を切断する電源制御部と
を備える、
ことを特徴とするヘッドセット送受話器。
【請求項８】
さらに、
前記電源制御部は、前記判定部により前記回線通話が切断された、もしくは、前記充電器との間で前記回線通話にかかる信号の送受信が切断されたと判定された際に、前記ヘッドセット本体部が前記充電器に着装されている場合には、前記ヘッドセット本体部の電源を切断し、前記ヘッドセット本体部が前記充電器に着装されていない場合には、所定時間を計時後に前記ヘッドセット本体部の電源を切断する
ことを特徴とする請求項７に記載のヘッドセット送受話器。
【請求項９】
ヘッドセット本体部と、前記ヘッドセットへ電力を供給する充電器とを含むヘッドセット送受話器における電源制御方法であって、
前記ヘッドセット本体部において、
前記充電器から供給された電力を蓄電する蓄電池が出力する電圧を監視し、前記電圧を閾値判定し、
前記蓄電池が出力する電圧が所定閾値以下であると判定とされた際に、前記ヘッドセット本体部が前記充電器に着装されている場合には、前記充電器から供給される電力を前記蓄電池に蓄電開始し、前記ヘッドセット本体部が前記充電器に着装されていない場合には、所定時間を計時後に前記ヘッドセット本体部の電源を切断する
ことを特徴とするヘッドセット送受話器における電源制御方法。
【請求項１０】
さらに、
前記ヘッドセット本体部において、
前記蓄電池が出力する電圧が所定閾値以下であると判定とされた際に、前記ヘッドセット送受話器が接続されるコンピュータへ電圧が所定閾値以下である旨を通知する
ことを特徴とする請求項９に記載のヘッドセット送受話器における電源制御方法。
【請求項１１】
ヘッドセット本体部と、前記ヘッドセットへ電力を供給するとともに、前記ヘッドセットとの間で回線通話にかかる信号を送受信する充電器とを含むヘッドセット送受話器における電源制御方法であって、
前記ヘッドセット本体部において、
前記回線通話が切断された、もしくは、前記充電器との間で前記回線通話にかかる信号の送受信が切断されたか否かを判定し、
前記回線通話が切断された、もしくは、前記充電器との間で前記回線通話にかかる信号の送受信が切断されたと判定された際に、所定時間を計時後に前記ヘッドセット本体部の電源を切断する
ことを特徴とするヘッドセット送受話器における電源制御方法。
【請求項１２】
さらに、
前記ヘッドセット本体部において、
前記回線通話が切断された、もしくは、前記充電器との間で前記回線通話にかかる信号の送受信が切断されたと判定された際に、前記ヘッドセット本体部が前記充電器に着装されている場合には、前記ヘッドセット本体部の電源を切断し、前記ヘッドセット本体部が前記充電器に着装されていない場合には、所定時間を計時後に前記ヘッドセット本体部の電源を切断する
ことを特徴とする請求項１１に記載のヘッドセット送受話器における電源制御方法。
【発明の詳細な説明】
【技術分野】
【０００１】
本発明は、ヘッドセット送受話器およびヘッドセット送受話器における電源制御方法に関する。
【背景技術】
【０００２】
近年、回線通話をおこなう際に、ハンドセット送受話器に代えてヘッドセット送受話器を接続ケーブルで回線機器に接続して用いられるようになってきている。ヘッドセット送受話器は、スピーカおよびマイクを備え、マイク付近に備えられるイヤーフックが耳介に懸架されることにより、スピーカが外耳道孔付近に位置してユーザに出力音声を聴取させ、マイクが口唇付近に位置してユーザの発話音声を検出する。ユーザは、ヘッドセット送受話器を用いて、ハンズフリーで回線通話をおこなうことができる。
【先行技術文献】
【特許文献】
【０００３】
【特許文献１】特開２０１２−１１９８８９号公報
【発明の概要】
【発明が解決しようとする課題】
【０００４】
しかしながら、従来技術によるヘッドセット送受話器では、使用時の利便性が十分なものではない。本願が開示する技術は、上記に鑑みてなされたものであって、ヘッドセット送受話器の使用時の利便性を高めることを目的とする。
【課題を解決するための手段】
【０００５】
本願が開示するヘッドセット送受話器は、ヘッドセット本体部と、ヘッドセットへ電力を供給する充電器とを含むヘッドセット送受話器であって、ヘッドセット本体部は、充電器と電気的に接続するヘッドセット側端子と、ヘッドセット側端子が配置される面においてヘッドセット側端子を挟む位置関係にある平行な２本の凸状のガイド部と、ガイド部の同一方向の一端にそれぞれ延設されるとともに、ヘッドセット側端子を挟む領域外へ向かう方向へ延伸してガイド部それぞれとともに略Ｌ字状を形成する２つの凸部と、ヘッドセット本体部の内部におけるヘッドセット側端子およびガイド部の近傍に長手方向がガイド部と平行となるように位置し、ヘッドセット側端子および前記ガイド部へ向く面側において、凸部側の一端から他端へ向かう途中で切り欠き部分を有する形状の磁性体部材とを備え、充電器は、ヘッドセット側端子と接触により電気的に接続する充電器側端子と、充電器側端子が配置される面において充電器側端子を挟む位置関係にあり、ガイド部それぞれが嵌合する平行な２本の凹状の溝部と、溝部の同一方向の一端にそれぞれ延設されるとともに、充電器側端子を挟む領域外へ向かう方向へ延伸して溝部それぞれとともに略Ｌ字状を形成し、ガイド部が溝部それぞれと嵌合しつつ充電器側端子がヘッドセット側端子と接触すると同時に、凸部それぞれと嵌合する２つの凹部と、ガイド部が溝部それぞれに嵌合した状態から凸部が凹部それぞれに嵌合した状態に至るまで、磁性体部材を磁気吸引することでヘッドセット本体部を充電器の定位置へ着装させるとともに、ヘッドセット本体部が充電器の定位置へ着装された状態かつ充電器側端子がヘッドセット側端子と接触した状態を、磁性体部材を磁気吸引することで保持する常磁性部材とを備える。
【０００６】
また、本願が開示するヘッドセット送受話器およびヘッドセット送受話器における電源制御方法は、ヘッドセット本体部と、ヘッドセットへ電力を供給する充電器とを含むヘッドセット送受話器であって、ヘッドセット本体部は、充電器から供給された電力を蓄電する蓄電池が出力する電圧を監視し、電圧を閾値判定し、蓄電池が出力する電圧が所定閾値以下であると判定とされた際に、ヘッドセット本体部が充電器に着装されている場合には、充電器から供給される電力を蓄電池に蓄電開始し、ヘッドセット本体部が充電器に着装されていない場合には、所定時間を計時後にヘッドセット本体部の電源を切断する。
【０００７】
また、本願が開示するヘッドセット送受話器およびヘッドセット送受話器における電源制御方法は、ヘッドセット本体部と、ヘッドセットへ電力を供給するとともに、ヘッドセットとの間で回線通話にかかる信号を送受信する充電器とを含むヘッドセット送受話器であって、ヘッドセット本体部は、回線通話が切断された、もしくは、充電器との間で回線通話にかかる信号の送受信が切断されたか否かを判定し、回線通話が切断された、もしくは、充電器との間で回線通話にかかる信号の送受信が切断されたと判定された際に、所定時間を計時後にヘッドセット本体部の電源を切断する。
【発明の効果】
【０００８】
本願が開示する技術によれば、ヘッドセットの使用時の利便性を高めることができる。
【図面の簡単な説明】
【０００９】
【図１Ａ】図１Ａは、ヘッドセット本体部を充電器にセットした状態のヘッドセット送受話器の外観を示す上方斜視図である。
【図１Ｂ】図１Ｂは、ヘッドセット本体部を充電器にセットした状態のヘッドセット送受話器の外観を示す下方斜視図である。
【図２Ａ】図２Ａは、ヘッドセット本体部の外観を示す上方平面図である。
【図２Ｂ】図２Ｂは、ヘッドセット本体部の外観を示す上方斜視図である。
【図２Ｃ】図２Ｃは、ヘッドセット本体部の外観を示す下方平面図である。
【図２Ｄ】図２Ｄは、ヘッドセット本体部の外観を示す下方斜視図である。
【図３Ａ】図３Ａは、イヤーフック収納時のヘッドセット本体部の上方図である。
【図３Ｂ】図３Ｂは、イヤーフック使用時のヘッドセット本体部の上方図である。
【図３Ｃ】図３Ｃは、ヘッドセット本体部へのイヤーフックの取り付け部分を示す図である。
【図３Ｄ】図３Ｄは、ヘッドセット本体部へのイヤーフックの取り付け構造を示す図である。
【図３Ｅ】図３Ｅは、ヘッドセット本体部の左方にイヤーフックを取り付けた場合の、ヘッドセット本体部からイヤーフックを取り外した状態の左上方斜視図である。
【図３Ｆ】図３Ｆは、ヘッドセット本体部の左方にイヤーフックを取り付けた状態を示す上面図である。
【図３Ｇ】図３Ｇは、ヘッドセット本体部の右方にイヤーフックを取り付けた場合の、ヘッドセット本体部からイヤーフックを取り外した状態の右上方斜視図である。
【図３Ｈ】図３Ｈは、ヘッドセット本体部の右方にイヤーフックを取り付けた状態を示す上面図である。
【図４Ａ】図４Ａは、イヤーフックにリテーナ機構部を取り付ける構造を示す図である。
【図４Ｂ】図４Ｂは、イヤーフックの外観を示す平面図である。
【図４Ｃ】図４Ｃは、イヤーフックの断面構造を示す図である。
【図４Ｄ】図４Ｄは、イヤーフックの一端の構造を示す図である。
【図４Ｅ】図４Ｅは、リテーナ機構部のイヤーフックとの当接部分の構造を示す図である。
【図５Ａ】図５Ａは、充電器の外観を示す上方平面図である。
【図５Ｂ】図５Ｂは、充電器の外観を示す下方平面図である。
【図６Ａ】図６Ａは、ヘッドセット本体部を充電器から取り外した場合の縦断面図である。
【図６Ｂ】図６Ｂは、ヘッドセット本体部を充電器に着装した場合の縦断面図である。
【図７Ａ】図７Ａは、ヘッドセット本体部が充電器から離れている場合に働く磁力の概要を示す図である。
【図７Ｂ】図７Ｂは、ヘッドセット本体部が充電器へ近づいた場合に働く磁力の概要を示す図である。
【図７Ｃ】図７Ｃは、磁性体部材の他例（その１）を示す図である。
【図７Ｄ】図７Ｄは、磁性体部材の他例（その２）を示す図である。
【図７Ｅ】図７Ｅは、磁性体部材の他例（その３）を示す図である。
【図８Ａ】図８Ａは、ヘッドセット本体部の機能構成を示すブロック図である。
【図８Ｂ】図８Ｂは、充電器の機能構成を示すブロック図である。
【図９Ａ】図９Ａは、ヘッドセット本体部における電源制御処理（その１）を示すフローチャートである。
【図９Ｂ】図９Ｂは、ヘッドセット本体部における電源制御処理（その２）を示すフローチャートである。
【図９Ｃ】図９Ｃは、ヘッドセット本体部における電源制御処理（その３）を示すフローチャートである。
【図１０Ａ】図１０Ａは、ヘッドセット本体部を左耳介に懸架した場合の態様を示す図である。
【図１０Ｂ】図１０Ｂは、ヘッドセット本体部を右耳介に懸架した場合の態様を示す図である。
【発明を実施するための形態】
【００１０】
以下に、本願が開示する技術にかかるヘッドセット送受話器およびヘッドセット送受話器における電源制御方法の実施形態を図面に基づいて説明する。なお、以下の実施形態は、本願が開示する技術を限定するものではなく、また、各実施形態は、矛盾しない範囲内で適宜組み合わせることができる。
【００１１】
［実施形態］
（ヘッドセット送受話器の外観）
図１Ａは、ヘッドセット本体部を充電器にセットした状態のヘッドセット送受話器の外観を示す上方斜視図である。図１Ａに示すように、ヘッドセット送受話器１は、ヘッドセット本体部２、充電器５を有する。ヘッドセット本体部２と充電器５は、互いに分離および合一が可能である。図１Ａは、ヘッドセット本体部２と充電器５が合一した状態を示す。
【００１２】
ヘッドセット本体部２は、本体部２１と、本体部２１から一方向へ延伸するアーム部２２を有する。アーム部２２は、可撓性を有する素材（例えばエラストマなど）で形成され、ヘッドセット本体部２を耳介にかけて使用する場合に、ユーザにより、マイク位置調整のために、適切な状態へ曲げられる。本体部２１は、図１Ａに示す裏面側にスピーカ２３を有する。また、本体部２１は、本体部２１とスピーカ２３の間に回動部２４を有する。
【００１３】
回動部２４は、スピーカ２３が本体部２１へ取り付けらガイド部位の周囲に位置する、後述のリング部材の外周に当接する円環状の部材である。図１Ａに示すように、回動部２４の所定部位に、リテーナ機構部２６が取り付けられる。リテーナ機構部２６は、その一端にイヤーフック２５が延伸するように取り付けられる。リテーナ機構部２６に取り付けられたイヤーフック２５は、略Ｕ字の形状であり、略Ｕ字の一端がリテーナ機構部２６に取り付けられ、スピーカ２３を略Ｕ字で取り囲むように位置する。
【００１４】
なお、図１Ａに示すように、充電器５は、ＵＳＢ（Universal  Serial  Bus）ケーブル５１を有する。充電器５は、ＵＳＢケーブル５１を介して、接続先のコンピュータ（図示せず）から電力を供給されるとともに、ヘッドセット送受話器１を用いた回線通話にかかる信号をコンピュータとの間で送受信する。また、図１Ａに示すＬ−Ｌの鎖線は、ヘッドセット本体部２の中心点を通過する線を示す。Ｌ−Ｌの鎖線は、後段の説明で用いられる。
【００１５】
図１Ｂは、ヘッドセット本体部を充電器にセットした状態のヘッドセット送受話器の外観を示す下方斜視図である。図１Ｂは、図１Ａに示すヘッドセット送受話器１を下方から見た図である。図１Ｂに示すように、イヤーフック２５は、スピーカ２３を略Ｕ字で取り囲むように位置する。また、図１Ｂに示すように、アーム部２２の先端には、マイク孔が設けられ、マイク孔の内部にマイク２７が内蔵される。
【００１６】
（ヘッドセット本体部の外観）
図２Ａは、ヘッドセット本体部の外観を示す上方平面図である。図２Ａに示す「Ａ」方向を示す矢印、「Ｂ」方向を示す矢印、「Ｃ」方向を示す矢印は、それぞれ「上方向」、「右方向」、「左方向」を指すとする。図２Ａでは、リテーナ機構部２６が、図２Ａに向かって本体部２１の左側、すなわち「Ｃ」側に取り付けられた状態を示す。「Ａ」〜「Ｃ」の各矢印は、以後の説明で用いる。図２Ｂは、ヘッドセット本体部の外観を示す上方斜視図である。図２Ｂは、図２Ａに示すヘッドセット本体部２を「Ｃ」側からみた斜視図である。なお、図２Ａにおける「Ｒ」は、リテーナ機構部２６の縦方向の長さを示す。
【００１７】
図２Ｃは、ヘッドセット本体部の外観を示す下方平面図である。図２Ｄは、ヘッドセット本体部の外観を示す下方斜視図である。図２Ｃおよび図２Ｄに示すように、ヘッドセット本体部２は、下方面において、スピーカ２３および回動部２４の下方に、「Ａ」方向二平行な半直線状のガイド部２８およびガイド部２９を有する。そして、ヘッドセット本体部２は、下方面において、ガイド部２８およびガイド部２９の間に、充電端子３０ａおよびスイッチ端子３０ｂを有する。
【００１８】
そして、ヘッドセット本体部２は、ガイド部２８およびガイド部２９それぞれの一端に、凸部２８ａおよび凸部２９ａがそれぞれ位置する。ガイド部２８および凸部２８ａは、高さが同一である。ガイド部２８および凸部２８ａは、一体として、充電端子３０ａおよびスイッチ端子３０ｂが位置する領域の外へ向かう略Ｌ字状を形成する。同様に、ガイド部２９および凸部２９ａは、高さが同一である。ガイド部２９および凸部２９ａは、一体として、充電端子３０ａおよびスイッチ端子３０ｂが位置する領域の外へ向かう略Ｌ字状を形成する。なお、ガイド部２８および凸部２８ａの高さ、ならびに、ガイド部２９および凸部２９ａの高さは、凸部２８ａ、凸部２９ａがガイド部２８、ガイド部２９よりもそれぞれ高くてもよい。また、ガイド部２８および凸部２８ａの高さ、ならびに、ガイド部２９および凸部２９ａの高さは、充電端子３０ａおよびスイッチ端子３０ｂの端子高よりも高い。
【００１９】
（ヘッドセット本体部のイヤーフック取り付け部分）
図３Ａは、イヤーフック収納時のヘッドセット本体部の上方図である。図３Ａは、ヘッドセット本体部２を、図２Ａ〜図２Ｄに示す「Ａ」方向から見た図である。図２Ａに示すように、リテーナ機構部２６は、取付ガイド２４ａを介して回動部２４と接続される。取付ガイド２４ａは、回動部２４の外周方向に対して所定角度をなすように、回動部２４に設けられる。これにより、イヤーフック２５が、回動部２４からオフセットして取り付けられる。取付ガイド２４ａは、リテーナ機構部２６の縦方向の長さ「Ｒ」（図２Ａ参照）とほぼ同一の長さで図３Ａに示すような「Ｙ」字状の断面が続くものである。ここで、取付ガイド２４ａの断面が略「Ｙ」字状であるのは、取付ガイド２４ａの「Ｙ」の二股の先端部分が、リテーナ機構部２６の後述の取付ガイド溝２６ａを押し開く方向に力を及ぼすことで、取付ガイド２４ａおよび取付ガイド溝２６ａの接合をより強固にするためである。なお、取付ガイド２４ａは、断面形状が略「Ｙ」字状に限らず、取付ガイド溝２６ａとの接合を強固にする形状であれば、いずれの形状でもよい。
【００２０】
図３Ｂは、イヤーフック使用時のヘッドセット本体部の上方図である。図３Ｂは、図３Ａに示す状態から、イヤーフック２５を、リテーナ機構部２６を回転軸にして、本体部２１から離れる方向へ回転させた状態を示す。図３Ｂに示すように、イヤーフック２５は、リテーナ機構部２６を回転軸にして、矢印方向へ回転可能である。
【００２１】
図３Ｃは、ヘッドセット本体部へのイヤーフックの取り付け部分を示す図である。図３Ｄは、ヘッドセット本体部へのイヤーフックの取り付け構造を示す図である。図３Ｃおよび図３Ｄに示すように、ヘッドセット本体部２において、スピーカ２３の周囲には、回動取付部３９が取り付けられる。回動取付部３９は、「Ｂ」方向側および「Ｃ」方向側に、数段のラチェットを含むラチェット部３９ａおよびラチェット部３９ｂをそれぞれ有する。回動部２４の内周に回動取付部３９が嵌合することにより、回動部２４が、回動取付部３９に取り付けられる。
【００２２】
回動部２４の内周の所定位置には、ラチェット部３９ａおよびラチェット部３９ｂそれぞれと噛み合うラチェット歯が設けられている。回動部２４を、回動取付部３９に取り付けると、ラチェット歯がラチェット部３９ａおよびラチェット部３９ｂのいずれかの段と歯合することにより、回動部２４の回動取付部３９周りの回動を微調整できる。図３Ｃおよび図３Ｄに示すように、例えば、ラチェット部３９ａおよびラチェット部３９ｂは、それぞれ３段のラチェット歯を有する。例えば、ヘッドセット本体部２において、リテーナ機構部２６が「Ｂ」側に位置する場合に、ラチェット歯がラチェット部３９ａと噛み合うことにより、リテーナ機構部２６の位置を３段階で微調整できる。また、例えば、ヘッドセット本体部２において、リテーナ機構部２６が「Ｃ」側に位置する場合に、ラチェット歯がラチェット部３９ｂと噛み合うことにより、リテーナ機構部２６の位置を３段階で微調整できる。このように、リテーナ機構部２６の位置を微調整できることにより、ヘッドセット本体部２をイヤーフック２５により耳介に懸架した場合の位置調整をおこなうことができる。
【００２３】
図３Ｅは、ヘッドセット本体部の左方にイヤーフックを取り付けた場合の、ヘッドセット本体部からイヤーフックを取り外した状態の左上方斜視図である。ヘッドセット本体部２の回動部２４を回動取付部３９の周りで回転させて取付ガイド２４ａがヘッドセット本体部２において「Ｃ」側に位置する場合に、図３Ｅに向かって下向きの矢印の方向へリテーナ機構部２６を摺動させる。すると、リテーナ機構部２６の取付ガイド溝２６ａが取付ガイド２４ａから外れ、イヤーフック２５がヘッドセット本体部２から取り外される。逆に、図３Ｅに向かって上向きの矢印の方向へリテーナ機構部２６を摺動させる。すると、リテーナ機構部２６の取付ガイド溝２６ａが取付ガイド２４ａに嵌め込まれ、イヤーフック２５がヘッドセット本体部２に取り付けられる。図３Ｆは、ヘッドセット本体部の左方にイヤーフックを取り付けた状態を示す上面図である。なお、図３Ｅおよび図３Ｆは、ヘッドセット本体部２をイヤーフック２５により左耳に懸架する形態を示す。
【００２４】
図３Ｇは、ヘッドセット本体部の右方にイヤーフックを取り付けた場合の、ヘッドセット本体部からイヤーフックを取り外した状態の右上方斜視図である。回動部２４を回動取付部３９の周りで回転させて取付ガイド２４ａがヘッドセット本体部２において「Ｂ」側に位置する場合に、図３Ｇに向かって下向きの矢印の方向へリテーナ機構部２６を摺動させる。すると、リテーナ機構部２６の取付ガイド溝２６ａが取付ガイド２４ａから外れ、イヤーフック２５がヘッドセット本体部２から取り外される。逆に、図３Ｇに向かって上向きの矢印の方向へリテーナ機構部２６を摺動させる。すると、リテーナ機構部２６の取付ガイド溝２６ａが取付ガイド２４ａに嵌め込まれ、イヤーフック２５がヘッドセット本体部２に取り付けられる。図３Ｈは、ヘッドセット本体部の右方にイヤーフックを取り付けた状態を示す上面図である。なお、図３Ｇおよび図３Ｈは、ヘッドセット本体部２をイヤーフック２５により右耳に懸架する形態を示す。
【００２５】
（イヤーフックおよびリテーナ機構の構造）
図４Ａは、イヤーフックにリテーナ機構部を取り付ける構造を示す図である。図４Ｂは、イヤーフックの外観を示す平面図である。図４Ａおよび図４Ｂに示すように、イヤーフック２５の一端には、リテーナ機構部２６の挿入孔２６ｂへ挿入するための挿入部２５ａが設けられる。イヤーフック２５は、挿入部２５ａがリテーナ機構部２６の挿入孔２６ｂへ挿入された状態で、リテーナ機構部２６の挿入孔２６ｂの反対側からバネを介挿してネジ３８によりネジ止めされる。ネジ３８は、挿入部２５ａに設けられた後述の雌ネジ孔２５ｂに螺入されることにより、挿入部２５ａに固定される。このようにしてイヤーフック２５にリテーナ機構部２６を取り付けることにより、イヤーフック２５は、リテーナ機構部２６に対して回転できる。
【００２６】
図４Ｃは、イヤーフックの断面構造を示す図である。図４Ｃは、図４Ｂにおけるイヤーフック２５のＭ−Ｍ断面を示す。図４Ｃに示すように、イヤーフック２５のＭ−Ｍ断面は、左右が対称である略逆三角形となっている。なお、イヤーフック２５は、いずれの断面においても左右が対称となっている。これは、イヤーフック２５が耳介と当接する面が左右いずれの面であっても、同様の機能および装用感を得るためである。すなわち、イヤーフック２５は、図３Ｅおよび図３Ｆに示す左耳懸架用の形態の場合であっても、図３Ｇおよび図３Ｈに示す右耳懸架用の形態の場合であっても、いずれでも同様の装用機能および装用感を得ることができる。
【００２７】
図４Ｄは、イヤーフックの一端の構造を示す図である。図４Ｅは、リテーナ機構部のイヤーフックとの当接部分の構造を示す図である。図４Ｄに示すように、イヤーフック２５の挿入部２５ａの先端部は、雌ネジ孔２５ｂおよび雌ネジ孔２５ｂを取り囲むように形成された山谷部２５ｃを有する。山谷部２５ｃは、雌ネジ孔２５ｂを中心として、環状に山部と谷部が交互に４つずつ設けられた部位である。また、図４Ｅに示すように、リテーナ機構部２６の挿入孔２６ｂの底部には、ネジ孔２６ｃおよびネジ孔２６ｃを取り囲むように形成された山谷部２６ｄを有する。山谷部２６ｄは、ネジ孔２６ｃを中心として、環状に山部と谷部が交互に４つずつ設けられた部位である。
【００２８】
そして、山谷部２５ｃの山部が山谷部２６ｄの谷部と嵌合し、山谷部２５ｃの谷部が山谷部２６ｄの山部とそれぞれ嵌合した状態で、ネジ３８がネジ孔２６ｃを貫通して雌ネジ孔２５ｂに螺入されることにより、イヤーフック２５がリテーナ機構部２６に対して自由に回転することを規制できる。そして、イヤーフック２５に力が加えられ、リテーナ機構部２６に対して回転させられようとする場合には、バネ３７の弾性力に抗して、山谷部２５ｃの山部が山谷部２６ｄの山部に乗り上げ、山谷部２６ｄの山部が山谷部２５ｃの山部に乗り上げ、山谷部２５ｃおよび山谷部２６ｄの山部および谷部が異なる位置で嵌合することになる。山谷部２５ｃおよび山谷部２６ｄの山部および谷部が異なる位置で嵌合すると、山谷部２５ｃおよび山谷部２６ｄは、バネ３７の弾性力により嵌合が保持される。
【００２９】
すなわち、山谷部２５ｃの山部が山谷部２６ｄの山部に乗り上げ、山谷部２６ｄの山部が山谷部２５ｃの山部に乗り上げてから、山谷部２５ｃおよび山谷部２６ｄの山部および谷部が異なる位置で嵌合するまでの間、山谷部２５ｃおよび山谷部２６ｄは、できるだけ離間しないようにバネ３７の弾性力が及ぶ。このようにして、リテーナ機構部２６は、イヤーフック２５の回転方向の位置を保持しつつ、わずかに回転力を加えるのみで回転可能になり、かつ、回転後も回転方向の位置を保持できる。
【００３０】
なお、図４Ｅに示すように、リテーナ機構部２６の取付ガイド溝２６ａは、その水平断面が、挿入孔２６ｂから最も遠い部分が狭く、挿入孔２６ｂへ近づくにつれて広くなっている。図４Ｅに示すように、取付ガイド溝２６ａの挿入孔２６ｂから最も近い部分には、取付ガイド２４ａの「Ｙ」の二股の先端部分が当接する溝２６ｅが、リテーナ機構部２６の縦方向に沿って設けられている。取付ガイド溝２６ａの挿入孔２６ｂから最も遠い部分で取付ガイド２４ａを締め付けることで、取付ガイド２４ａへのリテーナ機構部２６の取り付けをより確実にする。
【００３１】
（充電器の外観）
図５Ａは、充電器の外観を示す上方平面図である。図５Ａに示すように、充電器５は、平行な２本の凹状の溝部５２および溝部５３を有する。また、充電器５は、溝部５２の一端に延設される凹部５２ａを有する。また、充電器５は、溝部５３の一端に延設される凹部５３ａを有する。また、充電器５は、充電端子５４ａおよびスイッチ端子５４ｂを有する。凹部５２ａは、充電端子５４ａおよびスイッチ端子５４ｂを挟む領域外へ向かう方向へ溝部５２から延伸して溝部５２それぞれとともに略Ｌ字状を形成する。同様に、凹部５３ａは、充電端子５４ａおよびスイッチ端子５４ｂを挟む領域外へ向かう方向へ溝部５３から延伸して溝部５３それぞれとともに略Ｌ字状を形成する。
【００３２】
溝部５２は、ヘッドセット本体部２が充電器５に着装された場合に、ヘッドセット本体部２のガイド部２９が嵌合する部分である。また、溝部５３は、ヘッドセット本体部２が充電器５に着装された場合に、ヘッドセット本体部２のガイド部２８が嵌合する部分である。また、凹部５２ａは、ヘッドセット本体部２が充電器５に着装された場合に、ヘッドセット本体部２の凸部２９ａが嵌合する部分である。また、凹部５３ａは、ヘッドセット本体部２が充電器５に着装された場合に、ヘッドセット本体部２の凸部２８ａが嵌合する部分である。また、充電端子５４ａは、ヘッドセット本体部２が充電器５に着装された場合に、ヘッドセット本体部２の充電端子３０ａと接合する。また、スイッチ端子５４ｂは、ヘッドセット本体部２が充電器５に着装された場合に、ヘッドセット本体部２のスイッチ端子３０ｂと接合する。
【００３３】
図５Ｂは、充電器の外観を示す下方平面図である。充電器５の下方面には、電源スイッチ５５が設けられる。なお、図５Ａおよび図５Ｂに示すように、充電器５には、充電器５が接続されるコンピュータから充電器５へ電源を供給し、コンピュータと充電器５との信号を送受するＵＳＢケーブルが設けられる。
【００３４】
（ヘッドセット本体部および充電器の縦断面）
図６Ａは、ヘッドセット本体部を充電器から取り外した場合の縦断面図である。図６Ｂは、ヘッドセット本体部を充電器に着装した場合の縦断面図である。図６Ａおよび図６Ｂは、ヘッドセット本体部２および充電器５の、図１Ａに示すＬ−Ｌの鎖線に沿った縦断面図である。図６Ａおよび図６Ｂに示すように、ヘッドセット本体部２の内部には、ガイド部２８およびガイド部２９が外部に位置する部分に、磁性体部材３１を有する。磁性体部材３１は、常磁性体部材の磁力線により磁化して常磁性体部材に磁力吸引される金属類である。例えば、磁性体部材３１は、鉄片である。そして、図６Ａおよび図６Ｂに示すように、磁性体部材３１は、充電器５の方向へ突起部分が向かう略Ｌ字の縦断面となる立体形状をしている。
【００３５】
また、図６Ａおよび図６Ｂに示すように、充電器５の内部には、充電端子５４ａおよびスイッチ端子５４ｂ、ならびに、溝部５２および溝部５３が外部に位置する部分に、常磁性体部材５６を有する。常磁性体部材５６は、磁石である。
【００３６】
図６Ａに示すように、ヘッドセット本体部２と、充電器５が離間した状態では、図６Ａに示す矢印の方向へ磁力が働き、磁性体部材３１が常磁性体部材５６に磁力吸引されることによりヘッドセット本体部２が充電器５へ引き寄せられる。そして、図６Ｂに示すように、ガイド部２８および凸部２８ａが溝部５３および凹部５３ａにそれぞれ嵌合し、ガイド部２９および凸部２９ａが溝部５２および凹部５２ａにそれぞれ嵌合し、ヘッドセット本体部２が充電器５に着装される。この状態では、ヘッドセット本体部２の充電端子３０ａおよびスイッチ端子３０ｂは、充電器５の充電端子５４ａおよびスイッチ端子５４ｂとそれぞれ接合する。
【００３７】
すなわち、ガイド部２８および凸部２８ａならびに溝部５３および凹部５３ａの形状および嵌合形態と、ガイド部２９および凸部２９ａならびに溝部５２および凹部５２ａの形状および嵌合形態と、磁性体部材３１の形状ならびに常磁性体部材５６との磁力吸引の態様により、ヘッドセット本体部２は、充電器５へスムーズに着装できる。特に、磁性体部材３１の形状ならびに常磁性体部材５６との磁力吸引の態様は、ヘッドセット本体部２の、充電器５へのスムーズな着装に寄与するところが大きい。
【００３８】
（磁性体部材と常磁性体部材）
図７Ａは、ヘッドセット本体部が充電器から離れている場合に働く磁力の概要を示す図である。図７Ａの上方の図と下方の図で比較して示すように、充電器５へ向かう方向への縦断面が矩形の立体形状である磁性体部材３１ｄに比べ、磁性体部材３１は、常磁性体部材５６側の角部を切り欠くことにより重心位置が図７Ａに向かって左にずれる。このため、磁性体部材３１が常磁性体部材５６へ磁力吸引される力のベクトルの向きが、水平方向とのずれの角度が小さくなる方向になる。すなわち、磁性体部材３１が常磁性体部材５６へ磁力吸引される力のベクトルの水平方向の成分が大きくなる。このため、磁性体部材３１が常磁性体部材５６へ磁力吸引される力の向きと大きさが、磁性体部材３１を常磁性体部材５６へ、水平方向に近付ける作用を発揮する理想的な向きとなる。これは、磁性体部材３１を含むヘッドセット本体部２および常磁性体部材５６を含む充電器５、磁性体部材３１、常磁性体部材５６の位置関係の相互作用としてみると、最初は、ヘッドセット本体部２および充電器５が互いにすり合うようにして、横方向にスライドしながら近付いていくように、磁力吸引の力の水平方向の成分が大きいことが重要だからである。
【００３９】
また、図７Ｂは、ヘッドセット本体部が充電器へ近づいた場合に働く磁力の概要を示す図である。図７Ｂに示すように、磁性体部材３１が常磁性体部材５６へ近づいた場合、略Ｌ字状の突起部分から出る磁力線の作用が大きいため、磁性体部材３１が常磁性体部材５６へ磁力吸引される力のベクトルの向きが、水平方向とのずれの角度が大きくなる方向になる。すなわち、磁性体部材３１が常磁性体部材５６へ磁力吸引される力のベクトルの垂直方向の成分が大きくなる。このため、磁性体部材３１が常磁性体部材５６へ磁力吸引される力の向きと大きさが、磁性体部材３１を常磁性体部材５６へ、垂直方向に近付ける作用を発揮する理想的な向きとなる。これは、磁性体部材３１を含むヘッドセット本体部２および常磁性体部材５６を含む充電器５、磁性体部材３１、常磁性体部材５６の位置関係の相互作用としてみると、最後には、ヘッドセット本体部２および充電器５同士が、垂直方向に摺り合いながら近付いていくので、磁力吸引の力の垂直方向の成分が大きいことが重要だからである。
【００４０】
このように、磁性体部材３１の形状を充電器５の方向へ突起部分が向かう略Ｌ字の縦断面となる立体形状とすることで、ヘッドセット本体部２が充電器５に着装する段階での磁力線の効力をより有効利用して、ヘッドセット本体部２を充電器５に着装する際に、スムーズに着装させるとともに着装後の保持力を高めることができる。また、磁性体部材３１の形状を、充電器５の方向へ突起部分が向かう略Ｌ字の縦断面となる立体形状とすることで、磁性体部材３１の体積を減らしても、常磁性体部材５６により及ぼされる磁力線の効力を低下させない。よって、磁性体部材３１の使用量削減、磁性体部材３１の小型化、磁性体部材３１のコスト削減、ヘッドセット本体部２の重量削減などの効果が得られる。また、ヘッドセット本体部２の充電器５への着装時の磁力の過大を抑制するので、充電器５からヘッドセット本体部２を容易に取り外すことができる。
【００４１】
なお、充電器５の方向へ突起部分が向かう略Ｌ字の縦断面となる立体形状に限らず、図７Ｃに示すように、磁性体部材３１に代えて、充電器５の方向へ向かう角部を含む三角形を切り欠いた縦断面となる立体形状の磁性体部材３１ａであっても、上述と同様の効果が得られる。また、図７Ｄに示すように、磁性体部材３１に代えて、充電器５の方向へ突起部分が緩やかに隆起して向かう略Ｌ字の縦断面となる立体形状の磁性体部材３１ｂであっても、上述と同様の効果が得られる。また、図７Ｅに示すように、磁性体部材３１に代えて、充電器５の方向へ突起部分が向かう略凸状の縦断面となる立体形状の磁性体部材３１ｃであっても、上述と同様の効果が得られる。
【００４２】
（ヘッドセット本体部の機能構成）
図８Ａは、ヘッドセット本体部の機能構成を示すブロック図である。図８Ａに示すように、ヘッドセット本体部２は、アンテナ２０１、増幅部２０２、コントローラ２０３、オーディオコーディック部２０４、充電制御ＤＣ／ＤＣコンバータ２０５、バッテリ２０６、ＬＥＤ（Light  Emission  Diode）２０７、スピーカ２３、マイク２７、充電端子３０ａ、スイッチ端子３０ｂを有する。
【００４３】
なお、充電制御ＤＣ／ＤＣコンバータ２０５は、充電端子３０ａを介して充電器５から送出される電力を制御して、バッテリ２０６へ蓄電する。また、充電制御ＤＣ／ＤＣコンバータ２０５は、バッテリ２０６に蓄電した電力を増幅部２０２、コントローラ２０３、オーディオコーディック部２０４、ＬＥＤ２０７へ供給する。
【００４４】
また、充電端子３０ａおよび充電端子５４ａは、ヘッドセット本体部２のバッテリ２０６を充電するための電源である。充電端子３０ａおよび充電端子５４ａは、ＦＥＴ（Field  Effect  Transistor）スイッチ端子およびＧＲＤ（GRounD、接地）端子を含む。ＵＳＢの５Ｖ電源は、ＦＥＴスイッチ端子を経由して出力される。ＦＥＴスイッチ端子は、ショート防止対策のためのスイッチで、ヘッドセット本体部２が充電器５から外れている時（接続端子が露出している状態）は、スイッチがオフになり、端子に電圧が掛からないようになっている。充電端子３０ａおよび充電端子５４ａが接触する際には、ＦＥＴスイッチ端子にはＦＥＴスイッチ端子が対応し、ＧＲＤ端子にはＧＲＤ端子が対応するように接触される。
【００４５】
また、スイッチ端子３０ｂおよびスイッチ端子５４ｂは、第１のコントロール端子および第２のコントロール端子を含む。第１のコントロール端子は、電源スイッチ５５の押下状態をヘッドセット本体部２のコントローラ２０３へ伝えるための端子である。また、第２のコントロール端子は、ヘッドセット本体部２と、充電器５の接続状態をヘッドセット本体部２側へ伝える端子である。第２のコントロール端子の状態を使って、ヘッドセット本体部２を充電器５から外すと、自動的にヘッドセット本体部２の電源をオンにし、ヘッドセット本体部２を充電器５へ戻すと、自動的にヘッドセット本体部２の電を源オフにできる。
【００４６】
増幅部２０２は、コントローラ２０３から出力される音声信号を増幅してアンテナ２０１から送信するとともに、アンテナ２０１を介して充電器５から受信する音声信号を増幅してコントローラ２０３へ出力する。なお、ヘッドセット本体部２と、充電器５の無線通信は、例えばBluetooth（登録商標）などに代表される近距離無線通信である。
【００４７】
コントローラ２０３は、監視部２０３ａ、記憶部２０３ｂ、通信Ｉ／Ｆ２０３ｃを有する、ヘッドセット本体部２の全体制御を司る制御部である。監視部２０３ａは、充電制御ＤＣ／ＤＣコンバータ２０５を制御して、バッテリ２０６の電圧を監視するなどの電源制御処理を実行する。電源制御処理については、後述する。また、監視部２０３ａは、スイッチ端子３０ｂと、充電器５のスイッチ端子５４ｂの接触を監視する。監視部２０３ａは、スイッチ端子３０ｂと、充電器５のスイッチ端子５４ｂの接触を検出している間は、充電制御ＤＣ／ＤＣコンバータ２０５から各部への電力供給を停止させ、スイッチ端子３０ｂと、充電器５のスイッチ端子５４ｂの接触を検出しなくなると、充電制御ＤＣ／ＤＣコンバータ２０５から各部への電力供給を開始させる。
【００４８】
また、監視部２０３ａは、検出した各種イベント（例えば、通話切断や無線リンク断など）を、アンテナ２０１および増幅部２０２を介して充電器５へ送信する。また、監視部２０３ａは、検出した各種イベントや充電器５からの指示に応じて、充電制御ＤＣ／ＤＣコンバータ２０５を制御して、ヘッドセット本体部２の電源オンオフを制御する。
【００４９】
記憶部２０３ｂは、監視部２０３ａが実行する電源制御処理プログラムを記憶する。監視部２０３ａは、記憶部２０３ｂから電源制御処理プログラムを読み出して実行する。通信Ｉ／Ｆ２０３ｃは、コントローラ２０３と、増幅部２０２、オーディオコーディック部２０４の間の通信インターフェースである。
【００５０】
オーディオコーディック部２０４は、スピーカ２３、マイク２７が接続される。オーディオコーディック部２０４は、コントローラ２０３から出力された音声信号を復号してスピーカ２３から出力する。また、オーディオコーディック部２０４は、マイク２７から入力された音声を音声信号へと符号化し、コントローラ２０３へと出力する。
【００５１】
ＬＥＤ２０７は、コントローラ２０３の制御により、ヘッドセット本体部２のバッテリ２０６の電圧状態や充電状態、ヘッドセット本体部２の電源オンオフ状態、ヘッドセット本体部２と、充電器５の通信リンク状態などを所定態様で表示する。
【００５２】
（充電器の機能構成）
図８Ｂは、充電器の機能構成を示すブロック図である。図８Ｂに示すように、充電器５は、ロードスイッチ５０１、ＤＣ／ＤＣコンバータ５０２、コントローラ５０３、増幅部５０４、アンテナ５０５、ＵＳＢケーブル５１、充電端子５４ａ、スイッチ端子５４ｂ、電源スイッチ５５を有する。
【００５３】
ロードスイッチ５０１は、電源スイッチ５５がオンにされており、かつ、スイッチ端子５４ｂの接点が閉じている（ヘッドセット本体部２のスイッチ端子３０ｂと接触している）ことを検出する場合に、ＵＳＢケーブル５１を経由して取得される電力を、充電端子５４ａから出力する。逆に、ロードスイッチ５０１は、電源スイッチ５５がオフにされており、または、スイッチ端子５４ｂの接点が開いている（ヘッドセット本体部２のスイッチ端子３０ｂと接触していない）ことを検出する場合に、ＵＳＢケーブル５１を経由して取得される電力を、充電端子５４ａから出力しない。
【００５４】
ＤＣ／ＤＣコンバータ５０２は、ＵＳＢケーブル５１を経由して取得される電力を、コントローラ５０３、増幅部５０４へ供給する。コントローラ５０３は、制御部５０３ａ、記憶部５０３ｂ、ＵＳＢ  Ｉ／Ｆ５０３ｃ、通信Ｉ／Ｆ５０３ｄを有する。制御部５０３ａは、記憶部５０３ｂに記憶される制御プログラムを読み出して実行するとともに、充電器５の全体制御を司る。
【００５５】
制御部５０３ａは、ＵＳＢケーブル５１を介して接続されるコンピュータと、ヘッドセット本体部２の間で、ＵＳＢ  Ｉ／Ｆ５０３ｃ、通信Ｉ／Ｆ５０３ｄ、増幅部５０４およびアンテナ５０５を介して音声信号を送受信する。すなわち、制御部５０３ｄは、ＵＳＢ  Ｉ／Ｆ５０３ｃを介して、ＵＳＢケーブル５１で接続されるコンピュータ（厳密には通話アプリケーション）からの音声信号を通信Ｉ／Ｆ５０３ｄを介して増幅部５０４へ出力する。増幅部５０４は、コンピュータからの音声信号を増幅して、アンテナ５０５を介してヘッドセット本体部２へ送信する。ヘッドセット本体部２は、この音声信号をアンテナ２０１で受信して所定処理をおこなう。
【００５６】
また、制御部５０３ａは、ヘッドセット本体部２からの音声信号を、アンテナ５０５を介して受信する。そして、制御部５０３ａは、増幅部５０４にて増幅された受信した音声信号を、増幅部５０４から通信Ｉ／Ｆ５０３ｄを介して受信する。そして、制御部５０３ａは、増幅部５０４から通信Ｉ／Ｆ５０３ｄを介して受信した信号を、ＵＳＢ  Ｉ／Ｆ５０３ｃを介してＵＳＢケーブル５１で接続されるコンピュータへ出力する。
【００５７】
以上のヘッドセット本体部２および充電器５の構成によれば、ヘッドセット本体部２と、充電器５の接触状態（接触中：電源オフ、非接触：電源オン）となり、着信時にスイッチを押すなどの操作が不要となり、利便性が向上する。また、ヘッドセット本体部２と充電器５が非接触の状態では、電圧が端子へ印加されないため、人が触れても感電するおそれがなく、端子へ導電性物質が接触してもショートしないなど、安全性が保たれる。
【００５８】
（ヘッドセット本体部における電源制御処理（その１））
図９Ａは、ヘッドセット本体部における電源制御処理（その１）を示すフローチャートである。図９Ａに示す電源制御処理（その１）は、前述した電源制御処理プログラムにより実現される処理の一つである。電源制御処理（その１）は、所定の周期で起動、実行される。電源制御処理（その１）の概要は、次のとおりである。すなわち、通話中にバッテリの容量が減少し電圧が既定値（閾値１）まで低下した場合、ローバッテリとして検出して、ＵＳＢ経由でＨＩＤ（Human  Interface  Device）のイベントとしてコンピュータへ通知する。この通知をコンピュータ上で動作する通話アプリケーションが検知し、コンピュータの画面にローバッテリの警告ポップアップを表示する。そして、ローバッテリの警告発生後、さらにバッテリの容量が減少し電圧が既定値（閾値２）まで低下した場合、ヘッドセット本体部２の電源がオフになる。なお、閾値１＞閾値２である。そして、ローバッテリ状態の時に限り、充電器５とヘッドセット本体部２を接続しても、ヘッドセット本体部２の電源をオフにしない。よって、充電器５を接続して充電しながら通話を継続することが可能となる、というものである。
【００５９】
先ず、ヘッドセット本体部２の監視部２０３ａは、バッテリ２０６の電圧が閾値１以下か否かを判定する（ステップＳ１１）。バッテリ２０６の電圧が閾値１以下である場合（ステップＳ１１Ｙｅｓ）、監視部２０３ａは、ステップＳ１２へ処理を移し、バッテリ２０６の電圧が閾値１以下でない場合（ステップＳ１１Ｎｏ）、監視部２０３ａは、ステップＳ１１を繰り返す。
【００６０】
ステップＳ１２では、監視部２０３ａは、バッテリ２０６の電圧が閾値１以下であることをＨＩＤイベントとして、充電器５が接続されるコンピュータへ通知する。続いて、監視部２０３ａは、ヘッドセット本体部２が充電器５にセットされているか否かを判定する（ステップＳ１３）。ヘッドセット本体部２が充電器５にセットされている場合（ステップＳ１３Ｙｅｓ）、監視部２０３ａは、ステップＳ１４へ処理を移し、ヘッドセット本体部２が充電器５にセットされていない場合（ステップＳ１３Ｎｏ）、監視部２０３ａは、ステップＳ１５へ処理を移す。
【００６１】
ステップＳ１４では、監視部２０３ａは、バッテリ２０６の充電を開始する。ステップＳ１４が終了すると、監視部２０３ａは、ステップＳ１１へ処理を移す。一方、ステップＳ１５では、監視部２０３ａは、バッテリ２０６の電圧の監視を継続し、閾値２以下であるか否かを判定する。バッテリ２０６の電圧が所定閾値２以下である場合（ステップＳ１５Ｙｅｓ）、監視部２０３ａは、ステップＳ１６へ処理を移し、バッテリ２０６の電圧が所定閾値２以下でない場合（ステップＳ１５Ｎｏ）、監視部２０３ａは、ステップＳ１３へ処理を移す。ステップＳ１６では、監視部２０３ａは、ヘッドセット本体部２の電源をオフにする。ステップＳ１６の処理が終了すると、監視部２０３ａは、電源制御処理（その１）を終了する。
【００６２】
電源制御処理（その１）によれば、通話中にバッテリ電圧が低下した場合でも、ヘッドセット本体部２が充電器５を経由して、コンピュータへ通知するとしたので、コンピュータの画面上でアラートを出すことができ、バッテリ不足による、突然の通話切断を回避できる。また、ローバッテリの時に限り、ヘッドセット本体部２と充電器５を接続しても電源オフとしないため、充電しながら通話継続が可能となる。
【００６３】
（ヘッドセット本体部における電源制御処理（その２））
図９Ｂは、ヘッドセット本体部における電源制御処理（その２）を示すフローチャートである。図９Ｂに示す電源制御処理（その２）は、前述した電源制御処理プログラムにより実現される処理の一つである。電源制御処理（その２）は、所定の周期で起動、実行される。電源制御処理（その２）の概要は、通話切断後、ヘッドセット本体部２が充電器５に戻されない状態（外れたままの状態）が所定時間（例えば３分）以上続くと、バッテリの浪費を防止するために自動的にヘッドセット本体部２の電源がオフになるというものである。
【００６４】
先ず、ヘッドセット本体部２の監視部２０３ａは、コンピュータの通話アプリケーションにて通話が切断されたか否かを判定する（ステップＳ２１）。通話が切断された場合（ステップＳ２１Ｙｅｓ）、監視部２０３ａは、ステップＳ２２へ処理を移し、通話が切断されていない場合（ステップＳ２１Ｎｏ）、監視部２０３ａは、ステップＳ２１へ処理を移す。
【００６５】
ステップＳ２２では、監視部２０３ａは、ヘッドセット本体部２が充電器５にセットされているか否かを判定する。ヘッドセット本体部２が充電器５にセットされている場合（ステップＳ２２Ｙｅｓ）、監視部２０３ａは、ステップＳ２３へ処理を移し、ヘッドセット本体部２が充電器５にセットされていない場合（ステップＳ２２Ｎｏ）、監視部２０３ａは、ステップＳ２４へ処理を移す。
【００６６】
ステップＳ２３では、監視部２０３ａは、ヘッドセット本体部２の電源をオフにする。ステップＳ２３の処理が終了すると、監視部２０３ａは、電源制御処理（その２）を終了する。一方、ステップＳ２４では、監視部２０３ａは、タイマによる計時を開始し、例えば３分経過したか否かを判定する。例えば３分経過した場合（ステップＳ２４Ｙｅｓ）、監視部２０３ａは、ステップＳ２３へ処理を移し、例えば３分経過していない場合（ステップＳ２４Ｎｏ）、監視部２０３ａは、ステップＳ２４へ処理を移す。
【００６７】
電源制御処理（その２）によれば、ヘッドセット本体部２の使用時以外の待機電力によるバッテリの放電を減少させることにより、バッテリを長持ちさせることができる。
【００６８】
（ヘッドセット本体部における電源制御処理（その３））
図９Ｃは、ヘッドセット本体部における電源制御処理（その３）を示すフローチャートである。図９Ｃに示す電源制御処理（その３）は、前述した電源制御処理プログラムにより実現される処理の一つである。電源制御処理（その３）は、所定の周期で起動、実行される。電源制御処理（その３）の概要は、通話中に近距離無線通信のリンクが切断された状態が所定時間（例えば１分）以上続くと、バッテリの消費を防止するために、自動的にヘッドセット本体部２の電源がオフになるというものである。
【００６９】
先ず、ヘッドセット本体部２の監視部２０３ａは、ヘッドセット本体部２と、充電器５の近距離無線通信のリンクが切断されたか否かを判定する（ステップＳ３１）。近距離無線通信のリンクが切断された場合（ステップＳ３１Ｙｅｓ）、監視部２０３ａは、ステップＳ３２へ処理を移し、近距離無線通信のリンクが切断されていない場合（ステップＳ３１Ｎｏ）、監視部２０３ａは、ステップＳ３１へ処理を移す。
【００７０】
ステップＳ３２では、監視部２０３ａは、タイマによる計時を開始し、例えば１分経過したか否かを判定する。例えば１分経過した場合（ステップＳ３２Ｙｅｓ）、監視部２０３ａは、ステップＳ３３へ処理を移し、例えば１分経過していない場合（ステップＳ３２Ｎｏ）、監視部２０３ａは、ステップＳ３１へ処理を移す。ステップＳ３１では、監視部２０３ａは、ヘッドセット本体部２の電源をオフにする。ステップＳ３１の処理が終了すると、監視部２０３ａは、電源制御処理（その３）を終了する。
【００７１】
電源制御処理（その２）によれば、ヘッドセット本体部２の使用時以外の待機電力によるバッテリの放電を減少させることにより、バッテリを長持ちさせることができる。また、コンピュータの電源をオフにし、充電器５への給電が停止し、近距離無線通信が切断されたような場合や、近距離無線通信の電波が届く範囲外にヘッドセット本体部２を移動させた場合に、一定時間経過後に電源をオフにすることで、バッテリの消耗を最小限にできる。また、ヘッドセット本体部２に電源スイッチが無いため、ヘッドセット本体部２の電源が入ったまま長時間放置されることを最低限し、バッテリを長持ちさせることができる。
【００７２】
（ヘッドセット本体部を左耳介および右耳介に懸架した場合の態様）
図１０Ａは、ヘッドセット本体部を左耳介に懸架した場合の態様を示す図である。また、図１０Ｂは、ヘッドセット本体部を右耳介に懸架した場合の態様を示す図である。図１０Ａに示す態様では、図３Ｅおよび図３Ｆに示すように、イヤーフック２５をヘッドセット本体部２の「Ｃ」側に取り付け、左耳介にイヤーフック２５を掛けることにより、ヘッドセット本体部２を左耳介に懸架する態様を示す。一方、図１０Ｂに示す態様では、図３Ｇおよび図３Ｈに示すように、イヤーフック２５をヘッドセット本体部２の「Ｂ」側に取り付け、右耳介にイヤーフック２５を掛けることにより、ヘッドセット本体部２を右耳介に懸架する態様を示す。このように、ヘッドセット本体部２は、回動部２４を回動取付部３９の周りで回転させ、イヤーフック２５が延設されるリテーナ機構部２６を取り付ける取付ガイド２４ａの位置を調整することで、左右いずれの耳介へも、同様の装用感で装着することができるという利便性を有する。
【００７３】
以上の実施形態によれば、以下のものが提供される。すなわち、ヘッドセット本体部２と充電器５を、磁力で吸着する際に、ヘッドセット本体部２に充電器５へのガイドとなるガイド部２８および凸部２８ａ、ならびに、ガイド部２９および凸部２９ａを追加した。ガイド部２８および凸部２８ａ、ならびに、ガイド部２９および凸部２９ａの高さは、充電端子３０ａおよびスイッチ端子３０ｂの端子高よりも若干高い構造としたことで、吸着時の障害をなくし、かつ、吸着途中で、突起が、充電器５の溝部５２および凹部５２ａ、ならびに、溝部５３および凹部５３ａに嵌らないように、Ｌ型形状とする。
【００７４】
また、充電器５に内蔵した磁石にヘッドセット本体部２がスムーズに吸着できるように、磁力が垂直方向ではなく、水平方向へも働くように、ヘッドセット本体部２に内蔵した吸着用の金属片の形状を、充電器５へ向く方向へ突起部を有する形状とした。これにより、ヘッドセット本体部２のガイド部２８および凸部２８ａ、ならびに、ガイド部２９および凸部２９ａが、充電器５の溝部５２および凹部５２ａ、ならびに、溝部５３および凹部５３ａ上をスムーズに摺動し、充電端子３０ａおよびスイッチ端子３０ｂ、ならびに、充電端子５４ａおよびスイッチ端子５４ｂの接触をより確実にできる。
【００７５】
また、ヘッドセット本体部２が充電器５の定位置にセットされた場合に、ヘッドセット本体部２を充電器５の定位置に保持するために必要とする磁力を最小限に抑えることができる。なお、ガイド部２８および凸部２８ａ、ならびに、ガイド部２９および凸部２９ａの形状は、Ｌ字型に限らず、Ｔ字型、丸形状、三角形状など、用途に応じて適宜変更可能である。ガイド部２８および凸部２８ａ、ならびに、ガイド部２９および凸部２９ａの形状を変更する場合には、その受け手である溝部５２および凹部５２ａ、ならびに、溝部５３および凹部５３ａの形状も変更される。
【００７６】
また、ヘッドセット本体部２において、回動取付部３９にラチェット部３９ａおよびラチェット部３９ｂを設け、イヤーフック２５をヘッドセット本体部２へ取り付け時の角度調整を容易にし、回動範囲を所定角度、例えば１８０度に規制することで、ヘッドセット本体部２に対するイヤーフック２５の取り付け位置の調整が容易にできる。
【００７７】
また、取付方向を変えることで、左右の両耳介で兼用できるイヤーフック２５と、イヤーフック２５の取り付け機構を、耳介の上方向からのみ取り外しできる構造としたので、使用中の脱落を防止できる。また、イヤーフック２５をヘッドセット本体部２へ取り付けるためにリテーナ機構を採用した。そして、リテーナ機構にバネを組み込み、バネの弾性力によりイヤーフック２５から耳介へテンションを与えることで、イヤーフック２５の耳介への装着性を向上さることができる。
【００７８】
また、イヤーフック２５とその回動部２４を一体化し、回転軸をイヤーフック２５の中心と同一にした。回動部２４の外周方向に対して取付ガイド２４ａが所定角度をなすように取付ガイド２４ａを設けることで、イヤーフック２５が、回動部２４から所定距離だけオフセットされるので、イヤーフック２５の左右兼用性と装着感を向上させることができる。また、イヤーフック２５の断面形状を、耳介外側方向が幅広となる逆三角形形状とした。これにより、イヤーフック２５のフィット感を向上させることができる。
【００７９】
よって、実施形態によれば、耳介の形状にイヤーフック２５が柔軟に対応して、装着性が向上する。また、実施形態によれば、少ない部品点数で、ヘッドセット本体部２を左右の耳介兼用とすることができる。また、実施形態によれば、ヘッドセット本体部２と充電器５に設けた充電端子の接触不良を軽減することができる。
【００８０】
また、実施形態によれば、充電器５にヘッドセット本体部２が着装された状態であっても、スピーカ３およびマイク２７が充電器５から一定距離だけ離れた位置に位置し、ヘッドセット本体部２の充電器５への着装に関係なくスピーカ３およびマイク２７を使用することができる。すなわち、充電器５にヘッドセット本体部２が着装された状態でも、ヘッドセット本体部２を用いた通話が可能となる。
【００８１】
以上、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。さらに、ヘッドセット本体部２にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。  
【００８２】
また、実施形態において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。  
【符号の説明】
【００８３】
１  ヘッドセット送受話器
２  ヘッドセット本体部
５  充電器
２１  ヘッドセット本体部
２２  アーム部
２３  スピーカ
２４  回動部
２４ａ  取付ガイド
２５  イヤーフック
２５ａ  挿入部
２５ｂ  雌ネジ孔
２５ｃ  山谷部
２６  リテーナ機構部
２６ａ  取付ガイド溝
２６ｂ  挿入孔
２６ｃ  ネジ孔
２６ｄ  山谷部
２６ｅ  溝
２７  マイク
２８  ガイド部
２８ａ  凸部
２９  ガイド部
２９ａ  凸部
３０ａ  充電端子
３０ｂ  スイッチ端子
３１  磁性体部材
３７  バネ
３８  ネジ
３９  回動取付部
３９ａ  ラチェット部
３９ｂ  ラチェット部
５１  ＵＳＢケーブル
５２  溝部
５２ａ  凹部
５３  溝部
５３ａ  凹部
５４ａ  充電端子
５４ｂ  スイッチ端子
５５  電源スイッチ
５６  常磁性体部材
２０１  アンテナ
２０２  増幅部
２０３  コントローラ
２０３ａ  監視部
２０３ｂ  記憶部
２０４  オーディオコーディック部
２０５  充電制御ＤＣ／ＤＣコンバータ
２０６  バッテリ
５０１  ロードスイッチ
５０２  ＤＣ／ＤＣコンバータ
５０３  コントローラ
５０３ａ  制御部
５０３ｂ  記憶部
５０４  増幅部
５０５  アンテナ
【図１Ａ】
2014161192.tif 000003
【図１Ｂ】
2014161192.tif 000004
【図２Ａ】
2014161192.tif 000005
【図２Ｂ】
2014161192.tif 000006
【図２Ｃ】
2014161192.tif 000007
【図２Ｄ】
2014161192.tif 000008
【図３Ａ】
2014161192.tif 000009
【図３Ｂ】
2014161192.tif 000010
【図３Ｃ】
2014161192.tif 000011
【図３Ｄ】
2014161192.tif 000012
【図３Ｅ】
2014161192.tif 000013
【図３Ｆ】
2014161192.tif 000014
【図３Ｇ】
2014161192.tif 000015
【図３Ｈ】
2014161192.tif 000016
【図４Ａ】
2014161192.tif 000017
【図４Ｂ】
2014161192.tif 000018
【図４Ｃ】
2014161192.tif 000019
【図４Ｄ】
2014161192.tif 000020
【図４Ｅ】
2014161192.tif 000021
【図５Ａ】
2014161192.tif 000022
【図５Ｂ】
2014161192.tif 000023
【図６Ａ】
2014161192.tif 000024
【図６Ｂ】
2014161192.tif 000025
【図７Ａ】
2014161192.tif 000026
【図７Ｂ】
2014161192.tif 000027
【図７Ｃ】
2014161192.tif 000028
【図７Ｄ】
2014161192.tif 000029
【図７Ｅ】
2014161192.tif 000030
【図８Ａ】
2014161192.tif 000031
【図８Ｂ】
2014161192.tif 000032
【図９Ａ】
2014161192.tif 000033
【図９Ｂ】
2014161192.tif 000034
【図９Ｃ】
2014161192.tif 000035
【図１０Ａ】
2014161192.tif 000036
【図１０Ｂ】
2014161192.tif 000037